(57)【要約】【課題】スルー画像の一部を拡大する際に、表示画像は大ボケとならようにした使い易いスルー画表示機能付きデジタルカメラを提供する。【解決手段】撮影範囲のほぼ全領域をスルー画表示する全領域表示モードと、撮影範囲の特定領域を拡大してスルー画表示する拡大表示モードを拡大釦３９によって選択可能とし、全領域表示モードから拡大表示のモードへの切り換えの際に、スルー画表示を固定し（＃１０３）、自動焦点調節を行うようにする（＃１０７）。【選択図】  図６
2007281974.tif 000002
【特許請求の範囲】
【請求項１】
測距センサの出力に応じて撮影レンズを合焦位置に導く自動焦点調節手段と、
操作部材の手動操作に応じて撮影レンズの焦点調節動作を行う手動焦点調節手段と、
撮影範囲のほぼ全領域をスルー画表示する第１のモードと、撮影範囲の特定領域を拡大してスルー画表示する第２のモードとを選択可能なスルー画表示手段と、
このスルー画表示手段によるスルー画表示の実行中には上記手動焦点調節手段を有効にする制御手段と、
を具備し、
上記制御手段は、上記第１のモードから上記第２のモードへの切り換えの際には上記自動焦点調節手段を動作させるようにしたことを特徴とするデジタルカメラ。
【請求項２】
上記制御手段は、上記自動焦点調節手段による１回の自動焦点調節動作が終了したら、再び上記手動焦点調節手段を動作させることを特徴とする請求項１に記載のデジタルカメラ。
【請求項３】
上記制御手段は、上記第２のモードから上記第１のモードへの切り換えの際には上記自動焦点調節手段を動作させないようにしたことを特徴とする請求項１に記載のデジタルカメラ。
【請求項４】
上記スルー画表示手段は、上記第１のモードから上記第２のモードへの切り換え時に行われる上記自動焦点調節動作中は、上記スルー画表示を固定することを特徴とする請求項１に記載のデジタルカメラ。
【請求項５】
上記第２のモードにおける拡大領域は、上記自動焦点調節手段の測距領域に重なっていることを特徴とする請求項１に記載のデジタルカメラ。
【請求項６】
上記自動焦点調節手段の動作時には上記撮影レンズの光路内に進出して被写体光束を上記測距センサに導く反射ミラーを含むことを特徴とする請求項１に記載のデジタルカメラ。
【発明の詳細な説明】
【技術分野】
【０００１】
本発明は、スルー画表示機能を有するデジタルカメラに関し、詳しくは、撮像素子で繰り返し取得した画像を表示装置に動画像として表示する所謂スルー画表示機能（ライブビュー表示機能、電子ファインダ機能とも言う）を有するデジタル一眼レフカメラに関する。
【背景技術】
【０００２】
従来のコンパクトデジタルカメラにおいては、被写体像の観察は、光学式ファインダにより行っていたが、最近は、光学式ファインダをなくし、または光学式ファインダと共に被写体画像データの記録用に設けられている撮像素子の出力を表示にも利用している。即ち、撮像素子で取得した画像を、被写体像観察用に液晶モニタ等の表示装置によって表示するスルー画像表示機能を有しているものが多くなってきている。
【０００３】
このようなスルー画表示機能は、例えば、パララックスが生じないためマクロ撮影時等に有効であり、このためデジタル一眼レフカメラに搭載した例も種々提案されている。例えば、光学ファインダ表示モードと電子ファインダ表示モードを選択可能とし、電子ファインダ表示モードが選択されたときには、可動ミラーを撮影光路から退避させるとともにフォーカルプレーンシャッタを全開状態にして被写体像を撮像素子に導き、それによって得られた被写体像を観察用に液晶モニタに表示するようにしたデジタル一眼レフカメラが提案されている（特許文献１）
【特許文献１】特開２００２−３６９０４２号公報
【０００４】
しかしながら、この種のデジタル一眼レフカメラの場合、撮像素子上に被写体画像を結像させるためにスルー画表示中は可動ミラーを撮影光路外に退避させている。このため従来の一眼レフカメラに一般的に採用されているＴＴＬ位相差法による測距装置を使用することができず、したがって、撮影者は焦点調節を手動で行うことになる。このようにスルー画表示中には、手動焦点調節をすることになるが、このときのピント合わせの精度を向上させるために、特許文献２には、拡大スイッチを操作するとスルー画像の一部のみを拡大表示するようにした電子カメラが開示されている。
【特許文献２】特開２００２−５１２３９号公報
【発明の開示】
【発明が解決しようとする課題】
【０００５】
スルー画像の一部を拡大すると、手動焦点調節が容易になる反面、拡大表示の対象となる領域が合焦していない状況、即ちピントが大幅にずれている状態で拡大表示すると、表示画像は大ボケ状況となる。このため何をターゲットにしているのかが分からなくなり、どちらの方向に手動調節してよいのか判断できなくなってしまうという欠点がある。
【０００６】
本発明は、このような事情を鑑みてなされたものであり、使い易いスルー画表示機能付きデジタルカメラを提供することを目的とする。
【課題を解決するための手段】
【０００７】
上記目的を達成するため第１の発明に係わるデジタルカメラは、測距センサの出力に応じて撮影レンズを合焦位置に導く自動焦点調節手段と、操作部材の手動操作に応じて撮影レンズの焦点調節動作を行う手動焦点調節手段と、撮影範囲のほぼ全領域をスルー画表示する第１のモードと、撮影範囲の特定領域を拡大してスルー画表示する第２のモードとを選択可能なスルー画表示手段と、このスルー画表示手段によるスルー画表示の実行中には上記手動焦点調節手段を有効にする制御手段を具備し、上記制御手段は、上記第１のモードから上記第２のモードへの切り換えの際には上記自動焦点調節手段を動作させるようにした。
【０００８】
また、第２の発明に係わるデジタルカメラは、上記第１の発明において、上記制御手段は、上記自動焦点調節手段による１回の自動焦点調節動作が終了したら、再び上記手動焦点調節手段を動作させる。
さらに、第３の発明に係わるデジタルカメラは、上記第１の発明において、上記制御手段は、上記第２のモードから上記第１のモードへの切り換えの際には上記自動焦点調節手段を動作させないようにする。
【０００９】
また、第４の発明に係わるデジタルカメラは、上記第１の発明において、上記スルー画表示手段は、上記第１のモードから上記第２のモードへの切り換え時に行われる上記自動焦点調節動作中は、上記スルー画表示を固定する。
さらに、第５の発明に係わるデジタルカメラは、上記第１の発明において、上記第２のモードにおける拡大領域は、上記自動焦点調節手段の測距領域に重なっている。
【００１０】
さらに、第６の発明に係わるデジタルカメラは、上記第１の発明において、上記自動焦点調節手段の動作時には上記撮影レンズの光路内に進出して被写体光束を上記測距センサに導く反射ミラーを含んでいる。
【発明の効果】
【００１１】
本発明によれば、撮影範囲のほぼ全領域をスルー画表示する第１のモードから、撮影範囲の特定領域を拡大してスルー画表示する第２のモードへの切り換えの際には自動焦点調節手段を動作させるようにしたので、使い易いデジタルカメラを提供することができる。すなわち、第１のモードから第２のモードへの切り換えにあたっては、自動焦点調節動作を行うようにしたので、大ボケ状態となることをなくすことができ、大変使い易いデジタルカメラとなる。
【発明を実施するための最良の形態】
【００１２】
以下、図面に従って本発明を適用したデジタル一眼レフカメラを用いて好ましい一実施形態について説明する。図１は、本発明の実施形態に係るデジタル一眼レフカメラについて背面からみた外観斜視図である。
カメラ本体２００の上面にはレリーズ釦２１、モードダイヤル２２、コントロールダイヤル２４等が配置されている。レリーズ釦２１は、撮影者が半押しするとオンする第１レリーズスイッチと、全押しするとオンする第２レリーズスイッチを有している。この第１レリーズスイッチ（以下、１Rと称する）のオンによりカメラは焦点検出、撮影レンズのピントあわせ、被写体輝度の測光等の撮影準備動作を行い、第２レリーズスイッチ（以下、２Rと称する）のオンにより撮像素子としてのＣＣＤ（Charge Coupled Devices）２２１（図２参照）の出力に基づいて被写体像の画像データの取り込みを行う撮影動作を実行する。
【００１３】
モードダイヤル２２は回転可能に構成された操作部材であり、モードダイヤル２２上に設けられた撮影モードを表す絵表示または記号に指標に合致させることにより、フルオート撮影モード（ＡＵＴＯ）、プログラム撮影モード（Ｐ）、絞り優先撮影モード（Ａ）、シャッタ撮影優先モード（Ｓ）、マニュアル撮影モード（Ｍ）、ポートレート撮影モード、風景撮影モード、マクロ撮影モード、スポーツ撮影モード、夜景撮影モード等の各撮影モードを選択することができる。コントロールダイヤル２４は回転可能に構成された操作部材であり、情報表示画面等において、コントロールダイヤル２４の回転操作により所望の設定値やモード等を選択することができる。
【００１４】
カメラ本体２００の背面には、液晶モニタ２６、再生釦２７、メニュー釦２８、アップ用十字釦３０Ｕ、ダウン用十字釦３０Ｄ、右用十字釦３０Ｒ、左用十字釦３０Ｌ（これらの各十字釦３０Ｕ、３０Ｄ、３０Ｒ、３０Ｌを総称する際には、十字釦３０と称する）、OK釦３１、表示モード切換釦３４、ホワイトバランス釦３７、ＩＳＯ感度釦３８、拡大釦３９が配置されている。液晶モニタ２６は、撮影済みの被写体像を再生表示し、また、撮影条件やメニューを表示するための表示装置である。これらの表示を行うことができるものであれば、液晶に限らない。再生釦２７は、撮影後に記録した被写体画像を液晶モニタ２６に表示させることを指示するための操作釦である。後述するＳＤＲＡＭ２３７、記録媒体２４５にＪＰＥＧ等の圧縮モードで記憶されている被写体の画像データを伸張して表示する。
【００１５】
十字釦３０は液晶モニタ２６上で、Ｘ方向とＹ方向の２次元方向にカーソルの移動を指示するための操作部材であり、また、記録媒体に記録された被写体像を表示するにあたって、記録媒体の指示にも使用する。なお、アップ、ダウン、左、右用の４つの釦を設ける以外にも、タッチスイッチのように２次元上で操作方向を検出できるスイッチ等の２次元方向に操作できるスイッチに置き換えることも可能である。ＯＫ釦３１は、十字釦３０やコントロールダイヤル２４等によって選択された各種項目を確定するための操作部材である。メニュー釦２８は、このデジタルカメラの各種モードを設定するためのメニューモードに切換えるための釦であり、このメニュー釦２８の操作によってメニューモードを選択すると、液晶モニタ２６にメニュー画面が表示される。メニュー画面は複数の階層構造となっており、十字釦３０で各種項目を選択し、ＯＫ釦３１の操作により選択を決定する。
【００１６】
表示モード切換釦３４は、後述するスルー画表示と情報表示とを切り換えるための操作釦であって、スルー画表示は、被写体像記録用のＣＣＤ２２１の出力に基づいて液晶モニタ２６に被写体像を観察用に表示するモードであり、情報表示はカメラの撮影情報を表示設定するために液晶モニタ２６に表示されるモードである。ホワイトバランス釦３７は、ホワイトバランスを設定するための操作釦であり、このホワイトバランス釦３７を操作することによって、液晶モニタ２６に設定画面が表示され、オート、太陽光、曇天、日陰、電球、蛍光灯１〜３、ワンショット等の各モードが表示され、前述のコントロールダイヤル２４の回転操作によって選択し、ＯＫ釦３１の操作によって決定することができる。
【００１７】
ＩＳＯ感度釦３８は、ＩＳＯ感度を設定するための操作釦であり、このＩＳＯ感度釦３８を操作するによって、液晶モニタ２６に設定画面が表示され、オート、感度１００〜１６００の各感度を、前述のコントロールダイヤル２４の回転操作によって選択し、ＯＫ釦３１の操作によって決定することができる。カメラ任せにする場合には、オートを選択し、撮影意図がある場合には、感度１００〜１６００の範囲内で撮影者が任意に設定することができる。拡大釦３９は、スルー画表示の際に、被写体像の拡大を指示する操作部材である。
【００１８】
カメラ本体２００の側面には、記録媒体収納蓋４０が開閉自在に取り付けられている。この記録媒体収納蓋４０を開放すると、この内部に記録媒体２４５用の装填スロットが設けられており、記録媒体２４５はカメラ本体２００に対して、脱着自在に装填可能となっている。また、レンズ鏡筒１００にはピント合わせ用の手動操作環１１が設けられている。この手動操作環１１は、パワーフォーカス（ＰＦと称す場合もある）用の操作環であって、撮影者によって手動で回動操作されると、回動操作量に応じて撮影レンズがモータ駆動される。
【００１９】
次に、図２を用いて、デジタル一眼レフカメラの電気系を主とする全体構成を説明する。本実施形態に係わるデジタル一眼レフカメラは、交換レンズ１００とカメラ本体２００とから構成される。本実施形態では、交換レンズ１００とカメラ本体２００は別体で構成され、通信接点３００にて電気的に接続されているが、交換レンズ１００とカメラ本体２００を一体に構成することも可能である。
【００２０】
交換レンズ１００の内部には、焦点調節および焦点距離調節用のレンズ１０１、１０２と、開口量を調節するための絞り１０３が配置されている。レンズ１０１およびレンズ１０２はレンズ駆動機構１０７によって駆動され、絞り１０３は絞り駆動機構１０９によって駆動されるよう接続されている。また、手動操作環１１に連動し、その回動に応じてパルス等を発生するＰＦ操作部材１１２が配置されている。レンズ駆動機構１０７、絞り駆動機構１０９、ＰＦ操作部材１１２はそれぞれレンズＣＰＵ１１１に接続されており、このレンズＣＰＵ１１１は通信接点３００を介してカメラ本体２００に接続されている。レンズＣＰＵ１１１は交換レンズ１００内の制御を行うものであり、レンズ駆動機構１０７を制御してピント合わせや、ズーム駆動を行うとともに、絞り駆動機構１０９を制御して絞り値制御を行う。さらに、後述するシーケンスコントローラ(以下、「ボディＣＰＵ」と称す)２２９から許可されている場合には、ＰＦ操作部材１１２からの出力に応じてレンズ駆動機構１０７を駆動させ、レンズ１０１や１０２の駆動を行う。なお、本実施形態では、撮影レンズの手動焦点調節は、パワーフォーカスによって行っているが、これに限らず電気的駆動源を使用しない手動調節機構に置き換えても構わない。
【００２１】
カメラ本体２００内には、被写体像を観察光学系に反射するためにレンズ光軸に対して４５度傾いた位置と、被写体像を撮像素子(後述のＣＣＤ２２１)に導くために跳ね上がった位置との間で、回動可能な可動ミラー２０１が設けられている。この可動ミラー２０１の上方には、被写体像を結像するためのフォーカシングスクリーン２０５が配置され、このフォーカシングスクリーン２０５の上方には、被写体像を左右反転させるためのペンタプリズム２０７が配置されている。このペンタプリズム２０７の出射側(図１で右側)には被写体像観察用の接眼レンズ２０９が配置され、この脇であって被写体像の観察に邪魔にならない位置に測光センサ２１１が配置されている。この測光センサ２１１は被写体像を分割して測光する多分割測光素子で構成されている。
【００２２】
上述の可動ミラー２０１の中央付近はハーフミラーで構成されており、この可動ミラー２０１の背面には、ハーフミラー部で透過した被写体光をカメラ本体２００の下部に反射するためのサブミラー２０３が設けられている。このサブミラー２０３は、可動ミラー２０１に対して回動可能であり、可動ミラー２０１が跳ね上がっているときには、ハーフミラー部を覆う位置に回動し、可動ミラー２０１が被写体像観察位置にあるときには、図示する如く可動ミラー２０１に対して垂直となる位置にある。この可動ミラー２０１はミラー駆動機構２１９によって駆動されている。また、サブミラー２０３の下方には測距用センサを含む測距回路２１７が配置されており、この回路は、レンズ１０１、１０２によって結像される被写体像の焦点ズレ量をいわゆる位相差法により測定するための回路である。
【００２３】
可動ミラー２０１の後方には、露光時間制御用のフォーカルプレーンタイプのシャッタ２１３が配置されており、このシャッタ２１３はシャッタ駆動機構２１５によって駆動制御される。シャッタ２１３の後方には撮像素子としてのＣＣＤ２２１が配置されており、レンズ１０１、１０２によって結像される被写体像を電気信号に光電変換する。なお、本実施形態では撮像素子としてＣＣＤを用いているが、これに限らずＣＭＯＳ（Complementary Metal Oxide
Semiconductor）等の二次元撮像素子を使用できることはいうまでもない。ＣＣＤ２２１はＣＣＤ駆動回路２２３に接続され、このＣＣＤ駆動回路２２３によってアナログデジタル変換（ＡＤ変換）がなされる。ＣＣＤ駆動回路２２３はＣＣＤインターフェース２２５を介して画像処理回路２２７に接続されている。この画像処理回路２２７は色補正、ガンマ(γ)補正、コントラスト補正といった各種の画像処理を行う。また、液晶モニタ２６におけるスルー画表示用の画像データの生成も行う。
【００２４】
画像処理回路２２７は、ＡＳＩＣ（Application Specific Integrated
Circuit 特定用途向け集積回路）２７１内のデータバス２６１に接続されている。このデータバス２６１には、画像処理回路２２７の他、ボディＣＰＵ２２９、圧縮回路２３１、フラッシュメモリ制御回路２３３、ＳＤＲＡＭ制御回路２３６、入出力回路２３９、通信回路２４１、記録媒体制御回路２４３、ビデオ信号出力回路２４７、スイッチ検出回路２５３が接続されている。
【００２５】
データバス２６１に接続されているボディＣＰＵ２２９は、このデジタル一眼レフカメラのフローを制御するものである。またデータバス２６１に接続されている圧縮回路２３１はＳＤＲＡＭ２３７に記憶された画像データをＪＰＥＧやＴＩＦＦで圧縮するための回路である。なお、画像圧縮はＪＰＥＧやＴＩＦＦに限らず、他の圧縮方法も適用できる。データバス２６１に接続されているフラッシュメモリ制御回路２３３は、フラッシュメモリ（Flash Memory）２３５に接続され、このフラッシュメモリ２３５は、一眼レフカメラのフローを制御するためのプログラムが記憶されており、ボディＣＰＵ２２９はこのフラッシュメモリ２３５に記憶されたプログラムに従ってデジタル一眼レフカメラの制御を行う。なお、フラッシュメモリ２３５は、電気的に書換可能な不揮発性メモリである。ＳＤＲＡＭ２３７は、ＳＤＲＡＭ制御回路２３６を介してデータバス２６１に接続されており、このＳＤＲＡＭ２３７は、画像処理回路２２７によって画像処理された画像データまたは圧縮回路２３１によって圧縮された画像データを一時的に記憶するためのバッファメモリである。
【００２６】
上述の測光センサ２１１、シャッタ駆動機構２１５、測距回路２１７およびミラー駆動機構２１９に接続される入出力回路２３９は、データバス２６１を介してボディＣＰＵ２２９等の各回路とデータの入出力を制御する。レンズＣＰＵ１１１と通信接点３００を介して接続された通信回路２４１は、データバス２６１に接続され、ボディＣＰＵ２２９等とのデータのやりとりや制御命令の通信を行う。データバス２６１に接続された記録媒体制御回路２４３は、記録媒体２４５に接続され、この記録媒体２４５への画像データ等の記録の制御を行う。記録媒体２４５は、ｘDピクチャーカード(登録商標)、コンパクトフラッシュ(登録商標)、ＳＤメモリカード(登録商標)またはメモリスティック(登録商標)等の書換え可能な記録媒体のいずれかが装填可能となるように構成され、カメラ本体２００に対して着脱自在となっている。その他、通信接点を介してハードディスクを接続可能に構成してもよい。
【００２７】
データバス２６１に接続されたビデオ信号出力回路２４７は液晶モニタ駆動回路２４９を介して液晶モニタ２６に接続される。ビデオ信号出力回路２４７は、ＳＤＲＡＭ２３７、記録媒体２４５に記憶された画像データを、液晶モニタ２６に表示するためのビデオ信号に変換するための回路である。液晶モニタ２６はカメラ本体２００の背面に配置されるが、撮影者が観察できる位置であれば、背面に限らないし、また液晶に限らず他の表示装置でも構わない。シャッタレリーズ釦の第1ストロークや第２ストロークを検出するスイッチ、再生モードを指示するスイッチ、ＩＳＯ設定モードを指示するスイッチ、ホワイトバランス設定を指示するスイッチ、液晶モニタ２６の画面でカーソルの動きを指示するするスイッチ、撮影モードを指示するスイッチ、選択された各モード等を決定するＯＫスイッチ、表示モード切換を指示するスイッチ等の各種スイッチ２５５は、スイッチ検出回路２５３を介してデータバス２６１に接続されている。
【００２８】
前述の画像処理回路２２７は種々の機能を有しているが、この内、スルー画表示機能部位５０について図４を用いて説明する。スルー画表示機能部位５０は、液晶モニタ２６の表示画面６１中の測距枠６５〈図８（Ａ）参照〉を含む拡大領域６７について、液晶モニタ２６に拡大画面〈図８（Ｂ）参照〉として表示するための画像処理を行うための部位である。なお、測距枠６５と拡大領域６７とは、一部重複していればよく、多点測距式のカメラの場合、複数点ある測距枠の内の一つを拡大するようにしても良い。
【００２９】
ＣＣＤインターフェース回路２２５から出力されたデジタルの撮像データを入力する切換スイッチ回路５１は、拡大モード指示／解除信号を制御端子に入力し、この信号に応じて出力端子５１ａ、５１ｂに切り換えて出力する。出力端子５１ａに接続されたスルー画表示画像生成部５３は、撮像データに基づいて液晶モニタ２６にスルー画表示するための画像データを生成し、スルー画像データとして出力する。一方出力端子５１ｂに接続された拡大領域抽出部５５は撮像データからその一部分を抽出し、スルー画用表示画像生成部５７に出力する。このスルー画表示画像生成部５７は、拡大領域抽出部５５によって抽出された画像を基に、液晶モニタ２６の画面全体に表示されるように、画像の拡大処理を行い、スルー画像データとして出力する。なお、スルー画表示機能部位５０は全ての機能をハードウエアで構成しても良いし、また、その一部の機能をソフトウエアで行うようにしても良い。いずれにしても図４に示す機能を有する構成であれば良い。
【００３０】
このスルー画表示機能部位５０において、拡大モード指示信号を入力している場合には、出力は端子５１ｂに切り換えられ、拡大領域抽出部５５によって拡大領域６７に対応する領域の撮像データが抽出され、スルー画用表示画像生成部５７によって液晶モニタ２６に拡大された被写体像が表示される。拡大モード解除信号を入力している場合には、出力は端子５１ａに切り換えられ、スルー画表示画像生成部５３によってファインダ視野率に応じた通常のサイズの画像が液晶モニタ２６に表示される。なお、デフォルト値として拡大モード解除信号が入力されているので、パワーオンリセット時は、非拡大の通常サイズの全領域表示モードのスルー画が表示される。
【００３１】
次に、図３を用いて、カメラ本体２００の表示および動作モードの概略について説明する。
情報表示Ｍ１００はカメラ本体２００の電源スイッチがオンとなったときの状態であり、カメラの撮影にあたって基本的な情報の表示を行うものであって、液晶モニタ２６に、撮影モード、シャッタスピード、絞り、ＡＦモード、フラッシュ、画素数等の情報表示の画面が表示される。プログラムモード、シャッタ速度優先モードといった撮影モードはモードダイヤル２２の回動操作によって設定される。また、感度、シャッタ速度、絞り値、補正値、画素数といった項目は、情報表示画面において十字キー３０を操作することによって項目を選択し、コントロールダイヤル２４の操作で数値を設定する。
【００３２】
情報表示Ｍ１００の状態において、レリーズ釦２１を半押しすることによって、１Ｒスイッチがオンとなり、撮影準備動作Ａ  Ｍ１３０に入り、レリーズ釦２１から手を離し、半押しが解除されることによって情報表示Ｍ１００に戻る。この撮影準備動作Ｍ１３０では、測光・測距等の撮影のための準備動作を行う。この後、レリーズ釦２１を全押しすると、撮影動作Ａ  Ｍ１３１を行う。この撮影動作Ａにおいて、ＣＣＤ２２１から被写体像の光電変換信号を取り込み、画像処理回路２２７によって画像処理の上、画像データを記録媒体２４５に記録動作を行う。
【００３３】
また、情報表示モードＭ１００において、表示モード切換釦３４を操作すると、スルー画表示モードＭ３００となる。このスルー画表示モードでは、前述したように被写体像記録用のＣＣＤ２２１の出力を用いて観察用に被写体像を液晶モニタ２６に表示する。このスルー画表示モードＭ３００において、レリーズ釦２１を半押しした状態では特に動作は何も行われないが、さらにレリーズ釦２１を全押しすると、撮影動作Ｂ  Ｍ３３０が実行される。撮影動作Ｂでは、ＣＣＤ２２１によって取得した被写体画像データを記録媒体２４５に記録する、詳細は後述する。撮影動作Ｂが終了すると、スルー画表示モードに戻る。また、スルー画表示モードＭ３００において、拡大釦３９を操作すると拡大表示動作Ｍ３４０を実行し、レリーズ釦２１の半押し、即ち１Ｒオンとするとスルー画表示モードＭ３００に戻る。この拡大表示動作Ｍ３４０は、前述したように、液晶モニタ２６の表示画面６１中の測距枠６５〈図８（Ａ）参照〉を含む拡大領域６７について、液晶モニタ２６に拡大された画面〈図８（Ｂ）参照〉拡大表示モードで表示する。
【００３４】
次に、前述の撮影準備動作Ｍ１３０と撮影動作Ａ  Ｍ１３１について、図５に示すフローチャートを用いて、その詳細を説明する。
レリーズ釦２１の半押しがなされ、１Ｒがオンとなると撮影準備動作Ａ  Ｍ１３０に入り、測光センサ２１１の出力に基づいて被写体輝度の測定を行う（＃２１）。ここで得た被写体輝度に基づいてシャッタ速度及び／又は絞り値を演算により求める（＃２３）。なお、ここで、求めるシャッタ速度及び／または絞り値は、前述の撮影モードにしたがって行う。この後、測距回路２１７の出力に基づいて撮影レンズ１０１、１０２のピントズレ量を演算で求め、このズレ量に基づいて、レンズＣＰＵ１１１を介してレンズ駆動回路１０７を駆動しピント合わせを行う（＃２５）。
【００３５】
次に、レリーズ釦２１の全押しによってオンとなる第２レリーズスイッチがオンか否かかの判定を行い（＃３１）、オンではない場合には、レリーズ釦２１の半押しによってオンとなる第１レリーズスイッチがオンか否かかの判定を行う（＃２９）。判定の結果、オンであった場合には、レリーズ釦は半押し状態ではあるが、全押し状態とはなっていないので、ステップ＃２９と＃３１を繰り返し行う待機状態となる。ステップ＃２９にてレリーズ釦２１から手が離れ、第１レリーズスイッチがオフとなった場合には、ＮＯで抜けて元のルーチン、すなわち情報表示モードＭ１００に戻る。
【００３６】
一方、レリーズ釦２１が全押しされると、第２レリーズスイッチがオンとなり、ステップ＃３１をＹｅｓで抜けて、ステップ＃３３以下において、実際に撮像を行い画像データの記録を行うための処理、すなわち撮影動作Ａ  Ｍ１３１を実行する。まず、可動ミラー２０１のアップ動作を行い（＃３３）、これによって、撮影レンズ１０１、１０２を透過した被写体光束はＣＣＤ２２１側に導かれる〈但し、この時点ではシャッタ２１３が閉じているので、ＣＣＤ２２１上には結像していない〉。続いて、絞り１０３の絞込み動作を開始し（＃３５）、ＣＣＤ２２１による撮像を開始する（＃３７）。この後、シャッタ２１３の先幕が走行を開始し、所定時間経過後に後幕が走行を開始する（＃３９）。続いて、ＣＣＤ２２１による撮像を停止し（＃４１）、ＣＣＤ駆動回路２２３は画像信号の読み出しを行い、画像処理回路２２７による画像処理を実行する（＃４３）。この画像処理された画像データはバッファメモリとしてのＳＤＲＡＭ２３７に格納される（＃４５）。この後、絞り１０３を開放状態に復帰させ（＃４７）、可動ミラー２０１をダウンさせ（＃４９）、ファインダ光学装置を被写体像観察状態にする。
【００３７】
次に、ＳＤＲＡＭ２３７等のバッファメモリに記憶していた画像データを記録媒体（メモリカード）２４５に記録する（＃５１）。続いて、レリーズ釦が半押し状態のままか、即ち、第１レリーズスイッチがオンであるか否かを判定し、オンの場合には、ステップ＃２１に戻り、前述の動作を繰り返す。一方、第１レリーズスイッチがオフであれば、撮影情報表示モードＭ１００に戻る。
【００３８】
次に、前述のスルー画表示モードＭ３００について、図６に示すフローチャートを用いて、その詳細を説明する。
スルー画表示モードに入ると、パワーフォーカス動作（ＰＦ動作）の許可信号をレンズＣＰＵ１１１に送信する。レンズＣＰＵ１１１は、撮影者による手動操作環１１の回動操作があった場合には、その回動量に応じて撮影レンズ１０１、１０２の駆動を行うことができるようになる。続いて、測光センサ２１１の出力に基づいて被写体輝度の測定を行い、ここで得た被写体輝度に基づいてシャッタ速度及び／又は絞り値を演算により求める露光量演算を行う（＃６１）。なお、ここで、求めるシャッタ速度及び／または絞り値は、前述の撮影モードにしたがって行う。この後、ＣＣＤ２２１の出力に基づいて被写体像を得るための準備を行う。まず、可動ミラー２０１をアップさせ（＃６３）、レンズ１０１，１０２からの被写体光束をファインダ光学系からＣＣＤ２２１側に導くようにする。続いて、シャッタ２１３を開放状態とし（＃６５）、これによりＣＣＤ２２１上に被写体像が結像する。
【００３９】
この後、ＣＣＤ２２１の駆動にあたっての電子シャッタスピードと感度の条件設定を行うために、ステップ＃６１で求めた測光・露光量の演算結果を用いてスルー画条件設定１のサブルーチンを実行する（Ｓ９）。このサブルーチンの実行によって液晶モニタ２６に適切な明るさ（明度）の像を表示することができるが、このサブルーチンの詳細は図７を用いて後述する。スルー画条件設定１が終了すると、液晶モニタ２６にて全画面領域モードでスルー画表示を開始する。なお、スルー画表示動作は、前述したように、この開始指示を受けて画像処理回路２２７にて行われる。
【００４０】
次に、ステップ＃７１において、レリーズ釦２１が全押しされたか、すなわち２Ｒがオンか否かの判定を行う。オンであった場合には、撮影動作Ｂ  Ｍ３３０を行うための準備動作として、スルー画表示の停止のための一連の動作をステップ＃７３から＃７７において行う。まず、ＣＣＤ２２１への電源供給を停止し、液晶モニタ２６でのスルー画表示を停止する（＃７３）。続いて、シャッタ２１３を閉じ（＃７５）、可動ミラー２０１をダウンさせ、被写体光束をＣＣＤ２２１側からファインダ光学系側に切り換える（＃７７）。可動ミラー２０１のダウンが完了したら、撮影動作Ｂ  Ｍ３３０のルーチンに移行する。
【００４１】
ステップ＃７１に戻り、２Ｒがオフであった場合には、ステップ＃８１に進み、表示モード切換釦３４がオンか否かの判定を行う。判定の結果、表示モード切換釦３４が操作されておりオンであった場合には、情報表示モードＭ１００に戻るための準備動作を行う。この準備動作の内のステップ＃８３から＃８７は、前述のステップ＃７３からステップ＃７７と同様の処理なので、詳細は省略する。ステップ＃８７にて可動ミラー２０１のダウンが完了すると、ステップ＃８９でレンズＣＰＵ１１１にＰＦ動作の禁止を指示してから、前述の情報表示モードＭ１００に移行する。
【００４２】
ステップ＃８１に戻り、判定の結果、表示モード切換釦３４が操作されておらずオフであった場合には、ステップ＃９１に進み、電源スイッチ〈不図示〉がオフか否かの判定を行う。電源スイッチがオフであった場合には、カメラ動作を停止するための処理を行うが、この処理の内のステップ＃９３から＃９７は、前述のステップ＃７３からステップ＃７７と同様の処理なので、詳細は省略する。ステップ＃９７での可動ミラー２０１のダウン処理が終了すると、ステップ＃９９でレンズＣＰＵ１１１にＰＦ動作の禁止を指示してから、カメラの動作を停止する。
【００４３】
ステップ＃９１に戻り、判定の結果、電源スイッチがオンであった場合には、ステップ＃１０１に進み、拡大釦３９がオンか否かの判定を行う。拡大釦３９がオンであった場合には、ステップ＃１０３以下の拡大表示動作Ｍ３４０を実行する。まず、スルー画表示の固定を行う（＃９３）。これは、全領域表示モードのスルー画表示から拡大表示モードのスルー画表示に切り換える際に、画像が乱れる場合があり見苦しくなってしまう。そこで、拡大釦３９の操作時におけるスルー画で液晶モニタ２６の表示を固定し、スルー画表示の再開までスルー画像の更新を行わないようにしている。
【００４４】
続いて、可動ミラー２０１をダウンさせる。これによりサブミラー２０３によって測距回路２１７に被写体光束が導かれるので、ステップ＃１０６にてレンズＣＰＵ１１１にＰＦ動作の禁止を指示した後に、ステップ＃１０７において、位相差法により撮影レンズのピントズレ量を求め、このズレ量を用いてレンズ１０１、１０２を合焦位置にレンズＣＰＵ１１１を介して、レンズ駆動機構１０７によって駆動する。撮影レンズのピント合わせが終わると、ステップ＃１０８において、レンズＣＰＵ１１１にＰＦ動作を許可し、ステップ＃１０９において、可動ミラー２０１を上昇させ、被写体像を再びメインＣＣＤ２２１上に結像させる。なお、ステップ＃１０７の測距及び自動焦点調節の前後のステップでＰＦ動作の禁止と許可を行っているのは、ＰＦ動作を許可したままでは、測距動作中に撮影者がＰＦ操作部材１１２を操作して撮影レンズを移動させてしまうと、正しい測距ができなくなるので、ステップ＃１０６でＰＦ動作をいったん禁止し、ステップ＃１０７の自動焦点調節動作が終了したらステップ＃１０８でＰＦ動作を許可するようにしている。続いて、画像処理回路２２７内の切換スイッチ５１に対して拡大モード指示を出力する（＃１１１）。これにより、液晶モニタ２６に拡大モードで被写体像をスルー画表示が可能となるので、スルー画表示の再開を行う（＃１１３）。なお、パワーフォーカス動作は許可されているので、自動焦点調節動作後に撮影者が手動でピント合わせを行いたい場合には、手動操作環１１の回動操作を行うことにより手動でピント合わせを行うことができる。
【００４５】
ステップ＃１０１に戻り、判定の結果、拡大釦３９がオンでなかった場合には、ステップ＃１１５に進み、１Ｒがオンか否かの判定を行う。スルー画表示モードＭ３００から拡大表示モードＭ３４０に移行するのは、拡大釦３９のオンであったが、拡大表示モードＭ３４０からスルー画表示モードＭ３００に戻るのは１Ｒのオンで行うようにしている。１Ｒのオン、すなわちレリーズ釦２１の半押しは撮影を行うための準備動作であることから、撮影画像の全体フレームを確認できるようにしている。このため、拡大表示モードの解除とレリーズ釦２１の半押しの２ステップの動作が１ステップ動作となり、シャッタチャンスを逃すおそれが少なくなる。
【００４６】
ステップ＃１１５にて、１Ｒがオンであった場合には、ステップ＃１１７に進み、現在、拡大表示を行っているかの判定を行う。判定の結果、拡大表示中であれば、前述したように拡大表示を停止するために、ステップ＃１１９にて、画像処理回路２２７内の切換スイッチ５１に対して拡大モード解除を指示する。これにより、液晶モニタ２６が全領域表示である通常のスルー画表示を行うようになる。なお、ステップ＃１１７、＃１１９にて拡大表示モードから全画面表示に切換わった場合には、その後、特に操作釦による操作がなければ、ステップ＃７１、＃８１、＃９１、＃１０１、＃１１５、＃１２１を繰り返し処理することになる。これらのステップ中には、自動焦点調節動作がなく、拡大表示モード時に行った手動焦点調節によるピント合わせが維持される。
【００４７】
ステップ＃１１５において１Ｒがオフだった場合、ステップ＃１１７において拡大表示でなかった場合、ステップ＃１１３においてスルー画表示の再開の指示を出した後、または、ステップ＃１１９において拡大モード解除指示を出した後は、ステップ＃１２１に進み、スルー画条件の設定２のサブルーチンを実行する。スルー画条件の設定１はスルー画表示を開始する前であったので、測光素子２１１の出力に基づいて液晶モニタ２６の明度を調整していたが、スルー画条件の設定２は既に液晶モニタ２６で表示を行っていることから狙いとする明度と前回の液晶モニタ２６の明度との差分を基に電子シャッタ速度を決めている。詳細は、図７において後述する。
【００４８】
スルー画表示モードＭ３００においては、２Ｒスイッチ、表示切換釦３４、電源スイッチ、拡大釦３９のいずれも操作されないと、ステップ＃７１、＃８１、＃９１、＃１０１、＃１１５、＃１２１が繰り返し処理され、この間、ＣＣＤ２２１の出力に基づいて液晶モニタ２６にスルー画表示がなされる。この状態で、拡大釦３９が操作されオンとなると（＃１０１）、測距および自動焦点調節を行ってから拡大モードでのスルー画表示を行っている。このため撮影レンズのピントがあった状態で拡大表示されることから液晶モニタ２６に大ボケ状態でスルー画表示されることがない。また合焦後に拡大モードで手動操作によりピントの微調整を行うことが可能となっている。
【００４９】
次に、「スルー画条件の設定１」と「スルー画条件設定２」について図６を用いて説明する。このサブルーチンは前述したように、液晶モニタ２６に被写体画像を表示する際の画像明度の調整を行うためのものである。まず、スルー画条件設定１のサブルーチンに入ると、ステップＳ２０１において、測光センサ２８１の出力ＢＶｓに基づいて次回撮像時の電子シャッタスピードＴＶ１と感度ＳＶ１の決定を行う。スルー画表示時における絞り値は開放絞りであるので、この絞り値をＡＶｓとすると、
ＡＶｓ＋ＴＶ１＝ＢＶｓ＋ＳＶ１
の関係があり、
ＢＶｓ−ＡＶｓ＝ＴＶ１−ＳＶ１
となる。この式の左辺は既知の値であるので、左辺の値からＴＶ１とＳＶ１を適宜、プログラムラインやテーブルに従って求めればよい。この後、決定された電子シャッタスピードＴＶ１と感度ＳＶ１をそれぞれのレジスタに記憶・設定する（Ｓ２０７）。ＣＣＤ駆動回路２２３又はＣＣＤ駆動回路２８３は、ここで設定・記憶されたＴＶ１とＳＶ１に基づいてＣＣＤ２２１又は２７９の駆動制御を行い、光電変換信号の読み出しを行う。ステップＳ２０７にてＴＶ１およびＳＶ１の設定が終了すると元のフローに戻る。
【００５０】
次に、「スルー画条件設定２」を説明する。設定２のサブルーチンに入ると、まず、狙いの画像明度（所定値）と前回撮像時の画像明度との差ΔＥＶを算出する（Ｓ２０３）。続いて、画像明度が一定となるように、次回撮像時の電子シャッタスピードＴＶ１と感度ＳＶ１を決定する（Ｓ２０５）。この決定にあたっては、次の要素から求める。
・開放絞り値ＡＶｓ
・前回撮像時の電子シャッタスピードＴＶ０
・前回撮像時の感度ＳＶ０
・狙いの画像明度と前回撮像時の画像明度との差ΔＥＶ
まず、露出条件の基本式として
ＡＶｓ＋ＴＶ０＝ＢＶ０＋ＳＶ０  
である。
【００５１】
ここで、ＢＶ０は前回の輝度であるが、真の値は分からず、上記基本式では仮の値としている。真の輝度値ＢＶ０は、狙いとの差、即ち、ΔＥＶだけ外れていることから、
ＢＶ０＝ＡＶｓ＋ＴＶ０−ＳＶ０＋ΔＥＶ
＝ＡＶ１＋ＴＶ１−ＳＶ１
となり、この関係式からＴＶ１とＳＶ１を求める。ここで、差ΔＥＶは、例えば、撮像素子の各画素の出力の加重平均と狙いとする値との差から求めればよい。このステップＳ２０５を終了すると、前述したステップＳ２０５に進み、元のフローに戻る。
【００５２】
本実施形態では、測距回路２１７の出力に応じて撮影レンズ（レンズ１０１、１０２）を合焦位置に導く自動焦点調節手段と、手動操作環１１の手動操作に応じて撮影レンズの焦点調節動作を行う手動焦点調節手段と、撮影範囲のほぼ全領域をスルー画表示する第１のモード（図８（Ａ）参照）と、撮影範囲の特定領域を拡大してスルー画表示する第２のモード（図８（Ｂ））を拡大釦３９によって選択可能なスルー画表示手段を具備し、スルー画表示の実行中には手動焦点調節手段を有効にすると共に、第１のモードから第２のモードへの切り換えの際にはステップ＃１０７において自動焦点調節手段を動作させるようにしている。このように第１のモード（全領域表示）から第２のモード（拡大表示）への切り換えにあたって、自動焦点調節動作を行うようにしたので、大ボケ状態となることがなく、大変使い易いデジタルカメラとなる。
【００５３】
また、本実施形態では、自動焦点調節手段による１回の自動焦点調節動作が終了したら、再び手動操作環１１の回動操作により手動焦点調節を可能としたので、拡大された被写体像を観察しながら撮影意図に沿ったピント合わせをすることができる。
さらに、本実施形態では、第２のモード（拡大表示）から第１のモード（全領域表示）への切り換えの際に、自動焦点調節手段を動作させないようにしており、拡大表示モード時に行った手動焦点調節によるピント合わせを維持することができる。
さらに、本実施形態では、第１のモード（全領域表示）から第２のモード（拡大表示）への切り換え時に行われる自動焦点調節動作中は、スルー画表示を固定するようにしたので（＃１０３）、切り換え時に画像が乱れず、見苦しくなることを防げる。
さらに、本実施形態では、第２のモード（拡大表示）における拡大領域６７は、自動焦点調節手段の測距領域（測距枠６５）に重なっているので、拡大表示される領域について予め自動焦点調節されることから、大ボケとなることない。
【００５４】
なお、本実施形態においては、デジタルカメラとして一眼レフタイプに適用した例を説明したが、本発明はデジタル一眼レフカメラに限らず、例えば、コンパクトタイプ等のデジタルカメラにも適用でき、さらには、携帯電話に設けられたデジタルカメラにも適用できることは勿論である。いずれにしても撮像素子の出力を用いて被写体像を観察用としてモニタに表示するデジタルカメラ、電子撮像装置であればよい。
【図面の簡単な説明】
【００５５】
【図１】本発明の一実施形態におけるデジタル一眼レフカメラを背面から見た外観斜視図である。
【図２】本発明を適用した一実施形態におけるデジタル一眼レフカメラの全体構成を示すブロック図である。
【図３】本発明の一実施形態における表示モードと動作モードを示すブロック図である。
【図４】本発明の一実施形態における画像処理回路中のスルー画機能部のブロック図である。
【図５】本発明の一実施形態における撮影準備動作および撮影動作Ａの動作を示すフローチャートである。
【図６】本発明の一実施形態におけるスルー画表示モードの動作を示すフローチャートである。
【図７】本発明の一実施形態におけるスルー画条件の設定１とスルー画条件の設定２のフローチャートである。
【図８】本発明の一実施形態における液晶モニタにおける表示形態を示し、（Ａ）は全画面表示、（Ｂ）は全画面表示と拡大表示画面の関係を示す図である。
【符号の説明】
【００５６】
１１  手動操作環
２１  レリーズ釦
２２  モードダイヤル
２４  コントロールダイヤル
２６  液晶モニタ
２７  再生釦
２８  メニュー釦
３０  十字釦
３１  ＯＫ釦
３４  表示モード切換釦
３７  ホワイトバランス釦
３８  ＩＳＯ感度釦
３９  拡大釦
４０  記録媒体収納蓋
１００  交換レンズ
１０１  １０２  レンズ
１０３  絞り
１０７  レンズ駆動回路
１１２  ＰＦ操作部
２０１  可動ミラー
２１１  測光センサ
２１３  シャッタ
２１７  測距回路
２１９  ミラー駆動機構
２２１  ＣＣＤ
２２７  画像処理回路
２２９  シーケンスコントローラ(ボディＣＰＵ)
【図１】
2007281974.tif 000003
【図２】
2007281974.tif 000004
【図３】
2007281974.tif 000005
【図４】
2007281974.tif 000006
【図５】
2007281974.tif 000007
【図６】
2007281974.tif 000008
【図７】
2007281974.tif 000009
【図８】
2007281974.tif 000010